(57)【要約】【課題】保管や装着が簡単で、かさばらず、所望する髪形にセットすることができ、安全性の高い頭髪整形補助具を提供することができるようにする。【解決手段】一面に頭髪保持用掛合突起を密集させて植設した所定寸法の帯状素材と前記頭髪保持用掛合突起に係脱可能なループを一面に密集させて植設した所定寸法の帯状素材とを、その他面同士を対峙させ、両帯状素材の間に可撓性または／及び塑性変形可能な金属板を介在させた状態で両帯状素材の周縁部分を接合手段で接合して一体化して可撓性または／及び塑性変形可能な帯状部材を形成し、前記頭髪保持用掛合突起が表面に現れる状態で帯状部材の一方の端部の頭髪保持用掛合突起を帯状部材の他方の端部のループに掛合させることにより、中央部にアーチ状の嵩上げ部を形成するように構成した。【選択図】図１
0003154553.tif 000002
【実用新案登録請求の範囲】
【請求項１】
一面に頭髪保持用掛合突起を密集させて植設した所定寸法の帯状素材と前記頭髪保持用掛合突起に係脱可能なループを一面に密集させて植設した所定寸法の帯状素材とを、その他面同士を対峙させ、両帯状素材の間に可撓性または／及び塑性変形可能な金属板を介在させた状態で両帯状素材の周縁部分を接合手段で接合して一体化して可撓性または／及び塑性変形可能な帯状部材を形成し、前記頭髪保持用掛合突起が表面に現れる状態で帯状部材の一方の端部の頭髪保持用掛合突起を帯状部材の他方の端部のループに掛合させることにより、中央部にアーチ状の嵩上げ部が形成されるように構成したことを特徴とする頭髪整形補助具。
【請求項２】
可撓性または／及び塑性変形可能な金属板が、一体化された帯状素材の少なくとも中央部分に設けられていることを特徴とする請求項１に記載の頭髪整形補助具。
【請求項３】
金属板が銅板であることを特徴とする請求項１または請求項２に記載の頭髪整形補助具。
【請求項４】
帯状素材の周縁部分を接合する接合手段が、溶着若しくは縫着または接着で形成されていることを特徴とする請求項１乃至請求項３のいずれか１項に記載の頭髪整形補助具。
【考案の詳細な説明】
【技術分野】
【０００１】
本考案は、ボリュームアップや所望する髪形を簡単に形成するために使用する頭髪整形補助具に関するものである。
【背景技術】
【０００２】
頭髪を整えるときに使用するものとしては、特許文献１に示される一般に「カチューシャ」といわれる頭髪バンド形式のものや特許文献２に示される頭髪用のクリップが知られている。
【０００３】
上記カチューシャは、主として前髪が垂れてきたり、風等で髪が乱れたりするのを防止するために髪をおさえこむためのものであり、一方、頭髪用のクリップは、束ねた髪を固定するものであることから、長い頭髪を嵩上げしてボリュームアップするときに使用することができない。
また、カチューシャや頭髪用のクリップは硬質の合成樹脂や金属で形成されており、これらを装着しているときに、他物が当たるとその衝撃が直接頭皮に作用するので頭皮を傷つけるおそれがあり、安全性にも問題があった。
そこで、ボリュームアップする場合、一般的には自分の髪で逆毛を立てたり、添え毛、付け毛や足し毛といわれる「髢」が使用されたりしている。
【０００４】
ところが、逆毛を立てる場合、髪への負担、特に毛根部分への負担が大きく、髪を傷めたり、抜け毛の原因になったりする。
また、「髢」を使用する場合、「髢」は毛髪と同様、湿度や温度、時間経過等で徐々に変化しやすく、セットした形状を長く保つことが難しいという問題があった。
また、「髢」はかさばる上に保管等が難しく、一人で装着するのは至難の技であることから、若い女性に広く普及していないのが現状である。
【先行技術文献】
【特許文献】
【０００５】
【特許文献１】特開２０００−７３２１９号公報
【特許文献２】特開２００９−８２６９０号公報
【考案の概要】
【考案が解決しようとする課題】
【０００６】
そこで、本考案にかかる頭髪整形補助具は、上記問題点に鑑みて提案されたもので、保管や装着が簡単で、かさばらず、所望する髪形にセットすることができ、安全性の高い頭髪整形補助具を提供することができるようにすることを目的とするものである。
【課題を解決するための手段】
【０００７】
上記目的を達成するために、本考案にかかる頭髪整形補助具は、一面に頭髪保持用掛合突起を密集させて植設した所定寸法の帯状素材と前記頭髪保持用掛合突起に係脱可能なループを一面に密集させて植設した所定寸法の帯状素材とを、その他面同士を対峙させ、両帯状素材の間に可撓性または／及び塑性変形可能な金属板を介在させた状態で両帯状素材の周縁部分を接合手段で接合して一体化して可撓性または／及び塑性変形可能な帯状部材を形成し、前記頭髪保持用掛合突起が表面に現れる状態で帯状部材の一方の端部の頭髪保持用掛合突起を帯状部材の他方の端部のループに掛合させることにより、中央部にアーチ状の嵩上げ部が形成されるように構成したことを最も主要な特徴とするものである。
【０００８】
本考案にかかる頭髪整形補助具では、可撓性または／及び塑性変形可能な金属板が、一体化された帯状素材の少なくとも中央部分に設けられていること、金属板が銅板であること、帯状素材の周縁部分を接合する接合手段が溶着若しくは縫着または接着で形成したことも特徴とするものである。
【考案の効果】
【０００９】
本考案にかかる頭髪整形補助具は、一面に頭髪保持用掛合突起を密集させて植設した所定寸法の帯状素材と前記頭髪保持用掛合突起に係脱可能なループを一面に密集させて植設した所定寸法の帯状素材とを、その他面同士を対峙させ、両帯状素材の間に可撓性または／及び塑性変形可能な金属板を介在させた状態で両帯状素材の周縁部分を接合手段で接合して一体化して可撓性または／及び塑性変形可能な帯状部材を形成し、前記頭髪保持用掛合突起が表面に現れる状態で帯状部材の一方の端部の頭髪保持用掛合突起を帯状部材の他方の端部のループに掛合させることにより、中央部にアーチ状の嵩上げ部を形成するように構成してある。
これにより、中央部にアーチ状の嵩上げ部の高さ及びその形状を任意の形状に設定することができ、髪のボリュームアップやその形状も所望する形状に手軽にかつ簡単に整形することができる。
【００１０】
しかも、本考案にかかる頭髪整形補助具では、中央部にアーチ状の嵩上げ部を形成した帯状部材が、可撓性または／及び塑性変形可能になっていることから、この頭髪整形補助具を装着した部分に他物が接触したり、当たったりしたときでも、頭髪整形補助具が変形してその衝撃を和らげるので、頭皮や頭部が傷つくのを防止する。これにより頭髪整形補助具を安全性の高いものにすることができる利点がある。
【００１１】
さらに、本考案にかかる頭髪整形補助具は、帯状部材の端部同士の掛合を解除すると、１本の帯状部材になり、この状態でもハンドバッグに入れて嵩張ることなく収納や携行できるのはもちろんのこと、任意の形状に丸めて収納や携行することができる利点がある。
【図面の簡単な説明】
【００１２】
【図１】は本考案にかかる頭髪整形補助具の正面図である。
【図２】は本考案にかかる頭髪整形補助具を展開した状態の分解斜視図である。
【図３】は本考案にかかる頭髪整形補助具を展開した状態の平面図である。
【図４】は本考案にかかる頭髪整形補助具を展開した状態の縦断正面図である。
【図５】は本考案にかかる頭髪整形補助具の掛合部分の拡大図である。
【図６】は本考案にかかる頭髪整形補助具の使用手順を示す斜視図である。
【図７】は本考案にかかる頭髪整形補助具の使用手順を示す斜視図である。
【図８】は本考案にかかる頭髪整形補助具の使用手順を示す斜視図である。
【考案を実施するための形態】
【００１３】
以下、本考案の頭髪整形補助具にかかる最も好ましい実施の形態を図面に基づいて説明する。
【実施例】
【００１４】
図１は本考案にかかる頭髪整形補助具の斜視図、図２は頭髪整形補助具を展開した状態の分解斜視図、図３は頭髪整形補助具を展開した状態の平面図であって、図中符号１は頭髪整形補助具を全体的に示す。
頭髪整形補助具１は、緩やかな円弧で形成される上部の台形部分２と端部１０ａ、１０ｂが重ねあわされて接合され、緩やかな円弧状に形成された下部の設置部分３とからなり、この頭髪整形補助具１は図２に示すように、一面に頭髪保持用掛合突起４を密集させて植設した所定寸法の帯状素材５と、前記頭髪保持用掛合突起４に係脱可能なループ６を一面に密集させて植設した所定寸法の帯状素材７と、両帯状素材５、７の他面同士を対峙させた中に介在させる金属板８とからなる。
【００１５】
上記各両帯状素材５、７は、基布が合成樹脂性繊維で帯状に織成されており、１つの帯状素材５には、その一側面に図に示すような略キノコ型の突起を密集させた状態で植設され、この突起が頭髪保持用掛合突起４として作用する。
他方の帯状素材７は上記と同様に、基布が合成樹脂性繊維で帯状に織成され、その一側面には前記頭髪保持用掛合突起４に掛合するループ６が密集する状態で植設させてある。
また、上記金属板８は、帯状の銅板であって、幅及び長さが前記帯状素材５、７よりも一回り小形に形成されている。
【００１６】
したがって、図２のように、銅板からなる金属板８を介在させた状態で２つの帯状素材５、７をその頭髪保持用掛合突起４及びループ６を形成していない面同士を向かい合わせにし、図３にクロスハッチングした部分で示すように帯状素材５、７の周縁部を溶着９して一体化すると、図４に示すように、中に金属板８を設けた１本の帯状部材１０が形成される。なお、図３では表面の頭髪保持用掛合突起４は省略してある。
【００１７】
上記のように形成された帯状部材１０を頭髪整形補助具１として使用する手順を次に説明する。
先ず、頭髪保持用掛合突起４が外周に表れるようにして帯状部材１０の両端部１０ａ、１０ｂ同士を上下に重ね合わせ、図５に示すように頭髪保持用掛合突起４にループ６を嵌合させて接合１１し、帯状部材１０を環状にする。
次に、上記接合１１した側の部分を、緩やかな円弧を描く形に成形して設置部分を形成するとともに、上部を中央部分が緩やかな円弧で略台形に曲成すると、此処にアーチ状の嵩上げ部１２が形成された図１に示すような頭髪整形補助具１が形成される。
このとき、帯状部材１０の内方に塑性変形可能な銅板の金属板８が設けられていることから、頭髪整形補助具１の形状、特にその高さや形を図１に示すもの以外の任意な形に折り曲げるだけで簡単に形成することができる。
【００１８】
こうして形成された頭髪整形補助具１は、図６に示すように、ボリュームアップする部分の頭髪１３の一部（例えば半分）を掴みあげ、残っている頭髪１３の上に載せると、下部の緩やかの円弧上部分の頭髪保持用掛合突起同士の間に頭髪１３を保持し、頭髪整形補助具１は頭部に固定される。
頭髪整形補助具１が下部の頭髪１３に固定されると、これまで掴みあげていた髪２２を図７に示すように頭髪整形補助具１の中央部のアーチ状の嵩上げ部１２の上面部分を覆うように降ろし、当該部分の頭髪保持用掛合突起４同士の間に頭髪１３を保持させると図８に示すようにボリュームアップした髪形１４が形成される。
【００１９】
斯くして、頭髪１３内に装着された頭髪整形補助具１は、周囲の頭髪保持用掛合突起４同士の間に頭髪１３を保持しているので、ずれ動くことなくしっかりと固定される。
これにより、頭髪整形補助具１で整えられた髪形１４は、湿度や雨・風、温度等によっても型崩れすることがなく、その髪形１４を長く維持することができる。
以上の説明で明らかなように、本考案の頭髪整形補助具１による頭髪１３の整形は、頭髪整形補助具１を従前のクリップや櫛と同様に装着して使用できるので、一人でも手早く、簡単に行えるとともにその形状も、自分の頭の形状や好みの高さ合わせて任意に設定することができるのである。
【００２０】
上記のようにしてボリュームアップした髪形１４部分に他物が接触したり当たったりしたときには、この頭髪整形補助具１が変形して衝撃力を緩和、吸収するので安全性の高いものとなる。
因みに、衝撃力を緩和、吸収して変形した頭髪整形補助具１は、何度でも成形して使用することができる。
また、本考案にかかる頭髪整形補助具１は、図３に示すように１本の帯状部材１０や図示は省略したが丸めることにより、コンパクトにしてその不使用時、携行時に便利なものにすることができる。
【００２１】
尚、上記実施の形態では、金属板８を帯状の銅板で幅及び長さが帯状素材よりも一回り小形に形成したものを使用するようにしてあるが、こうしたものに限られず、図示は省略したが、帯状素材１０の中央部分にのみこの金属板８を設けてもよく、さらにこうした場合、バネ材にすることも可能である。
さらに、頭髪保持用掛合突起６の形状は図示したきのこ形状に限られず、フック状やループ６が掛止可能な形状であればいずれの形状でも実施することが可能である。
【符号の説明】
【００２２】
１・・・頭髪整形補助具
２・・・台形部分
３・・・設置部分
５・７・・・帯状素材
６・・・ループ
８・・・金属板
１０・・・帯状部材
１２・・・嵩上げ部
１３・・・頭髪
１４・・・髪形
【図１】
0003154553.tif 000003
【図２】
0003154553.tif 000004
【図３】
0003154553.tif 000005
【図４】
0003154553.tif 000006
【図５】
0003154553.tif 000007
【図６】
0003154553.tif 000008
【図７】
0003154553.tif 000009
【図８】
0003154553.tif 000010